(57)【要約】【課題】保留表示を用いた演出の趣向性を向上させることが可能な遊技機を提供すること。【解決手段】前記複数種の保留表示１０は、対応する当否判定結果が当たりとなる蓋然性が低い一または複数種の第一種保留表示１１と、対応する当否判定結果が当たりとなる蓋然性が前記第一種保留表示１１よりも高い一または複数種の第二種保留表示１２に区分けされ、前記保留制御手段は、前記表示装置９１に複数の前記第二種保留表示１２が表示される場合、当該複数の第二種保留表示１２の少なくとも一つに対応する当否判定結果が当たりとなるようにする特定保留制御を実行可能である遊技機１とする。【選択図】図４
2018161222.tif 000002
【特許請求の範囲】
【請求項１】
当否判定の報知が完了していないものに対応する当否判定情報の存在を示す保留表示を表示する表示装置と、
対応する当否判定情報が当たりとなるものであるか否かを踏まえ、複数種の保留表示のうちから表示する保留表示を決定する保留制御手段と、
を備え、
前記複数種の保留表示は、対応する当否判定結果が当たりとなる蓋然性が低い一または複数種の第一種保留表示と、対応する当否判定結果が当たりとなる蓋然性が前記第一種保留表示よりも高い一または複数種の第二種保留表示に区分けされ、
前記保留制御手段は、前記表示装置に複数の前記第二種保留表示が表示される場合、当該複数の第二種保留表示の少なくとも一つに対応する当否判定結果が当たりとなるようにする特定保留制御を実行可能であることを特徴とする遊技機。
【請求項２】
前記保留制御手段による前記特定保留制御は、既に前記表示装置に少なくとも一つの前記第二種保留表示が表示されており、当該第二種保留表示に対応する当否判定情報が当たりとなるものである場合において、新たな当否判定情報が取得されたとき、当該新たな当否判定情報に対応する保留表示の種類を、全ての種類の保留表示のうちから選択して決定するものであることを特徴とする請求項１に記載の遊技機。
【請求項３】
前記保留制御手段による前記特定保留制御は、既に前記表示装置に少なくとも一つの前記第二種保留表示が表示されており、当該第二種保留表示に対応する当否判定情報がはずれとなるものである場合において、新たな当否判定情報が取得されたとき、当該新たな当否判定情報に対応する保留表示の種類を、前記第一種保留表示に含まれる保留表示から選択して決定するものであることを特徴とする請求項１または請求項２に記載の遊技機。
【請求項４】
通常遊技状態よりも当否判定結果が当たりとなる確率が高い状態であって、当否判定結果が連続して所定回数はずれとなるまで継続する高確率遊技状態が設定されており、
当該高確率遊技状態において、前記特定保留制御が実行されることを特徴とする請求項１から請求項３のいずれか一項に記載の遊技機。
【請求項５】
前記保留表示は、通常保留表示と、表示されたときに対応する当否判定結果が大当たりとなる蓋然性が当該通常保留表示よりも高い複数の特殊保留表示を含み、
前記第一種保留表示は、前記通常保留表示と、前記複数の特殊保留表示のうちの少なくとも一つを含むことを特徴とする請求項１から請求項４のいずれか一項に記載の遊技機。
【発明の詳細な説明】
【技術分野】
【０００１】
本発明は、遊技機に関する。
【背景技術】
【０００２】
下記特許文献１には、対応する当否判定結果が当たりとなる蓋然性が高まったことを保留表示の態様の変化で示唆する演出（保留演出）が開示されている。
【先行技術文献】
【特許文献】
【０００３】
【特許文献１】特開２０１４−７９５２２号公報
【発明の概要】
【発明が解決しようとする課題】
【０００４】
本発明は、保留表示を用いた演出の趣向性を向上させることが可能な遊技機を提供することにある。
【課題を解決するための手段】
【０００５】
上記課題を解決するためになされた本発明にかかる遊技機は、当否判定の報知が完了していないものに対応する当否判定情報の存在を示す保留表示を表示する表示装置と、対応する当否判定情報が当たりとなるものであるか否かを踏まえ、複数種の保留表示のうちから表示する保留表示を決定する保留制御手段と、を備え、前記複数種の保留表示は、対応する当否判定結果が当たりとなる蓋然性が低い一または複数種の第一種保留表示と、対応する当否判定結果が当たりとなる蓋然性が前記第一種保留表示よりも高い一または複数種の第二種保留表示に区分けされ、前記保留制御手段は、前記表示装置に複数の前記第二種保留表示が表示される場合、当該複数の第二種保留表示の少なくとも一つに対応する当否判定結果が当たりとなるようにする特定保留制御を実行可能であることを特徴とする遊技機。
【０００６】
上記本発明によれば、第二種保留表示が複数表示される場合、必ず一つの第二種保留表示に対応する当否判定結果が当たりとなるという、従来にない保留表示を用いた演出を実行することが可能である。換言すれば、いわゆる信頼度の高い保留表示を組み合わせて、当たりとなることを示唆しているものである。
【０００７】
前記保留制御手段による前記特定保留制御は、既に前記表示装置に少なくとも一つの前記第二種保留表示が表示されており、当該第二種保留表示に対応する当否判定情報が当たりとなるものである場合において、新たな当否判定情報が取得されたとき、当該新たな当否判定情報に対応する保留表示の種類を、全ての種類の保留表示のうちから選択して決定するものであるとよい。
【０００８】
このように、既に一つの第二種保留表示が表示されている際であっても、当該第二種保留表示が当たりとなるものである場合には、新たに取得された当否判定情報に対応する保留表示の種類は、全ての種類の保留表示のうちから選択することが可能である。
【０００９】
前記保留制御手段による前記特定保留制御は、既に前記表示装置に少なくとも一つの前記第二種保留表示が表示されており、当該第二種保留表示に対応する当否判定情報がはずれとなるものである場合において、新たな当否判定情報が取得されたとき、当該新たな当否判定情報に対応する保留表示の種類を、前記第一種保留表示に含まれる保留表示から選択して決定するものであるとよい。
【００１０】
このように、既に一つの第二種保留表示が表示されている際に、当該第二種保留表示がはずれとなるものである場合には、新たに取得された当否判定情報に対応する保留表示の種類は、第一種保留表示に含まれる保留表示から選択する必要がある。
【００１１】
通常遊技状態よりも当否判定結果が当たりとなる確率が高い状態であって、当否判定結果が連続して所定回数はずれとなるまで継続する高確率遊技状態が設定されており、当該高確率遊技状態において、前記特定保留制御が実行されるとよい。
【００１２】
高確率遊技状態中に複数の第二種保留表示が表示された場合には、必ずいずれかの第二種保留表示に対応する当否判定結果が当たりとなるように設定されているため、遊技者が当たりに当選することを強く願う高確率遊技状態中（いわゆるＳＴ中）に、全ての第二種保留表示に対応する当否判定結果がはずれとなって遊技者が興醒めしてしまうおそれを低減することが可能である。
【００１３】
前記保留表示は、通常保留表示と、表示されたときに対応する当否判定結果が大当たりとなる蓋然性が当該通常保留表示よりも高い複数の特殊保留表示を含み、前記第一種保留表示は、前記通常保留表示と、前記複数の特殊保留表示のうちの少なくとも一つを含むとよい。
【００１４】
このように、第一種保留表示に特殊保留表示が含まれるようにすることで、表示される保留表示の全てに対応する当否判定結果がはずれとなる場合であっても、複数の特殊保留表示が一度に表示される状態が発生する可能性があることになる。つまり、複数の特殊保留表示が一度に表示される頻度が著しく低下することで、保留表示を用いた演出の趣向性が低下してしまうのを抑制することが可能である。
【発明の効果】
【００１５】
本発明にかかる遊技機によれば、保留表示を用いた演出の趣向性を向上させることが可能である。
【図面の簡単な説明】
【００１６】
【図１】本実施形態にかかる遊技機の正面図である。
【図２】（ａ）は表示装置（表示領域）に表示された保留表示および識別図柄を模式的に示した図であり、（ｂ）は保留表示の種類を示した図である。
【図３】本実施形態にかかる遊技機の遊技状態を説明するための図である。
【図４】本実施形態にかかる遊技機が実行する特定保留制御の概略を説明するためのフローチャートである。
【図５】（ａ）は表示されている第二種保留表示のいずれかに対応する当否判定結果が大当たりとなることが確定する例を示した図であり、（ｂ）は複数の特殊保留表示が表示された状態ではあるがいずれの特殊保留表示に対応する当否判定結果も大当たりとなることは確定しない例を示した図である。
【図６】（ａ）は同種の第二種保留表示が複数表示され、第二種保留表示のいずれかに対応する当否判定結果が大当たりとなることが確定する例を示した図であり、（ｂ）は異なる種類の第二種保留表示が複数表示され、いずれの特殊保留表示に対応する当否判定結果も大当たりとなることは確定しない例を示した図である。
【図７】保留変化演出によって保留表示の態様が変化した結果、複数の第二種保留表示が表示された状態となる例を示した図である。
【発明を実施するための形態】
【００１７】
以下、本発明にかかる遊技機１の一実施形態について図面を参照して詳細に説明する。まず、図１を参照して遊技機１の全体構成について簡単に説明する。
【００１８】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１９】
遊技領域９０２には、表示装置９１、始動入賞口９０４、大入賞口９０６、アウト口などが設けられている。かかる表示装置９１の表示領域９１１は、遊技盤９０に形成された開口９０１を通じて視認可能となる領域である。なお、図２、図４、図６、図７は、表示領域９１１を大まかに記載するが、その形状等は適宜変更可能である（開口９０１の形状や大きさ、表示装置９１自体の形状や大きさを変更することで表示領域９１１の形状等を変更することができる）。
【００２０】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２１】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００２２】
大当たりの抽選は、図示されない制御基板に設けられた当否判定手段が始動入賞口９０４への遊技球の入賞を契機として実行する（このような始動入賞口は複数設けられていてもよい）。具体的には、始動入賞口９０４への遊技球の入賞を契機として乱数源から数値（以下、当否判定情報と称することもある）が取得され、当該数値が予め定められた大当たりの数値と同じである場合には大当たりとなり、異なる場合にははずれとなる。本実施形態では、当該数値が取得された順に当否判定結果の報知が開始される（いわゆる変動が開始される）こととなるが、ある数値が取得されたときに、それより前に取得された数値に基づく当否判定結果が報知されている際には、当該ある数値に基づく当否判定結果が開始されるまで、図示されない制御基板に設けられた記憶手段に記憶される。未だ当否判定の報知が開始されていない数値（以下単に保留と称することもある）の最大の記憶数（最大保留数）は適宜設定することができる。本実施形態における記憶手段が記憶できる最大保留数は、一種の始動入賞口９０４につき四つである。なお、本実施形態では、当否判定の報知が開始される時点で、取得された数値が大当たりとなる数値か否かが判断されることとなるが、数値が取得されたときに当否判定を行い、当否判定結果自体を記憶させておく構成としてもよい（この場合には当否判定結果自体が、当否判定情報に相当することとなる）。また、取得された数値は、当否判定結果を報知する演出の具体的な内容を決定するための数値としても利用される。
【００２３】
なお、遊技機１の枠体、遊技球を貯留する下皿や上皿など、本発明に関係のない遊技機１の構成要素は説明を省略する。これらについては公知の遊技機と同様の構造のものが適用できる。
【００２４】
本実施形態では、公知の遊技機と同様に、表示装置９１の表示領域９１１に表示される識別図柄５０（図２（ａ）等参照）の組み合わせによって当否判定結果を遊技者に報知する。識別図柄５０は、当否判定結果の報知の開始とともに変動を開始する。大当たりに当選している場合には識別図柄５０は最終的に所定の組み合わせ（例えば、同じ識別図柄５０の三つ揃い）で停止する。はずれである場合には識別図柄５０は最終的にそれ以外（大当たりとなる組み合わせ以外）の組み合わせで停止する。
【００２５】
図３に示すように、本実施形態にかかる遊技機１は、遊技者が大当たり当選を目指して遊技する遊技状態として、通常遊技状態２１と高確率遊技状態２２が設定されている。通常遊技状態２１は、当否判定抽選に当選する確率が相対的に低い状態である。高確率遊技状態２２は当否判定抽選に当選する確率が相対的に高い状態である。つまり、高確率遊技状態２２の方が、通常遊技状態２１よりも遊技者にとって有利な状態であるということができる。なお、高確率遊技状態２２は、始動入賞口９０４に遊技球が入賞しやすい状態（いわゆる時間短縮遊技状態）であってもよい。当該状態の例としては、始動入賞口９０４の周囲に設けられた開閉部材９０４ａが頻繁に開放状態（開放状態となることによって始動入賞口９０４に遊技球が入賞しやすくなる）となる状態が挙げられる。
【００２６】
通常遊技状態２１において当選する大当たりには、通常大当たりと特別大当たりが設定されている。通常大当たりは、大当たり遊技終了後、通常遊技状態２１に移行する（通常遊技状態２１が維持される）ことが確実な大当たりである。特別大当たりは、大当たり遊技終了後、高確率遊技状態２２に移行することが確実な大当たりである。このような通常大当たりと特別大当たりを設定せず、全ての大当たり遊技終了後、高確率遊技状態２２に移行する設定としてもよい。
【００２７】
高確率遊技状態２２は、当否判定結果が所定回数連続してはずれとなるまで継続する。つまり、所定回数連続してはずれとなるまでの間に大当たりに当選した場合には、当該大当たり遊技終了後再び高確率遊技状態２２に突入する。すなわち、本実施形態にかかる遊技機１はいわゆるＳＴ機である。
【００２８】
本実施形態にかかる遊技機１では、記憶手段に記憶されている当否判定結果の報知が開始されていない（当否判定結果を報知するための識別図柄５０の変動が開始されていない）当否判定情報のそれぞれに対応するマークである保留表示１０が、表示装置９１の表示領域９１１に表示される（図２（ａ）参照）。具体的には、当否判定を実行するための当否判定情報としての数値が取得された順に並ぶよう、保留表示１０が表示装置９１に表示される。保留表示１０は図示されない制御基板に設けられる保留制御手段によって制御される。本実施形態では、表示装置９１の表示領域９１１の右下に、表示領域９１１の下側縁に沿って並ぶよう（当否判定結果の報知の開始が早い順に左から並ぶよう）表示される。
【００２９】
図２（ｂ）に示すように、保留表示１０は、表示される態様として複数種の態様が設定されている。具体的には、一または複数種の通常保留表示１００ｎと、一または複数種の特殊保留表示１００ｓが設定されている。本実施形態では、一種の通常保留表示１００ｎと、四種の特殊保留表示１００ｓ（第一特殊保留表示１０１ｓ〜第四特殊保留表示１０４ｓ）が設定されている。各保留表示１０が表示されたときにおける当該保留表示１０に対応する当否判定結果が大当たりとなる蓋然性（いわゆる大当たり信頼度）は、通常保留表示１００ｎよりも特殊保留表示１００ｓの方が高い。また、特殊保留表示１００ｓ同士で比較すれば、第一特殊保留表示１０１ｓが最も低く、第四特殊保留表示１０４ｓが最も高い。第二特殊保留表示１０２ｓの大当たり信頼度は、第一特殊保留表示１０１ｓより高く、第三特殊保留表示１０３ｓより低い。したがって、遊技者は、特殊保留表示１００ｓが表示されること、および特殊保留表示１００ｓが表示されるのであればより大当たり信頼度の高い特殊保留表示１００ｓが表示されることを願いつつ遊技することとなる。なお、これらの保留表示１０は、表示された時点で対応する当否判定結果が大当たりとなることが確定するものではない。表示された時点で対応する当否判定結果が大当たりとなることが確定する大当たり確定保留表示が設定されていてもよい。
【００３０】
通常保留表示１００ｎと特殊保留表示１００ｓの形態（見た目）の差異、各特殊保留表示１００ｓ同士の形態（見た目）の差異は、当該差異を遊技者が認識可能であればどのようなものであってもよい。各保留表示の少なくともいずれかについて複数種の態様が設定されていてもよい。例えば、演出のモード（ステージ）によって変化する複数種の通常保留表示１００ｎ、複数種の第一特殊保留表示１０１ｓ〜第四特殊保留表示１０４ｓが設定されていてもよい。本実施形態では、通常保留表示１００ｎおよび各特殊保留表示１００ｓとでは、少なくともその色が異なるように設定されている。具体的には、通常保留表示１００ｎは白（無色）、第一特殊保留表示１０１ｓは青色、第二特殊保留表示１０２ｓは黄色、第三特殊保留表示１０３ｓは緑色、第四特殊保留表示１０４ｓは赤色に設定されている。なお、各図においては、当該特殊保留表示１００ｓが発現する「色」を便宜的に文字で示している。
【００３１】
通常保留表示１００ｎおよび特殊保留表示１００ｓは、一または複数種の保留表示を含む第一種保留表示１１と、一または複数種の保留表示を含む第二種保留表示１２に区分けされている。なお、かかる区分けは、詳細を後述する特定保留制御を実行するためのものであって、このように区分けされていること自体は遊技者に示されるものではない。本実施形態では、第一種保留表示１１として、通常保留表示１００ｎ、第一特殊保留表示１０１ｓおよび第二特殊保留表示１０２ｓの三つが、第二種保留表示１２として、第三特殊保留表示１０３ｓおよび第四特殊保留表示１０４ｓの二つが設定されている。つまり、第一種保留表示１１に含まれる各保留表示は、第二種保留表示１２に含まれる各保留表示に比して、対応する当否判定結果が大当たりとなる蓋然性が低いものであるといえる。なお、これらの区分（第一種保留表示１１、第二種保留表示１２）以外に属する保留表示（例えば、上述した大当たり確定保留表示）が設定されていてもよい。
【００３２】
このように保留表示１０が区分けされていることに基づき、以下で詳細を説明する特定保留制御が実行される。本実施形態では、高確率遊技状態２２中（いわゆるＳＴ中）において特定保留制御が実行される。
【００３３】
特定保留制御は、表示装置９１に複数の第二種保留表示１２が表示される場合（図４（ａ）にその例を列挙する）、当該複数の第二種保留表示１２の少なくとも一つに対応する当否判定結果が大当たりとなるように設定するものである。本実施形態に則して言えば、第三特殊保留表示１０３ｓおよび第四特殊保留表示１０４ｓを含む第二種保留表示１２が複数表示された場合、当該時点で表示されている第二種保留表示１２のうちのいずれかに対応する当否判定結果が大当たりとなる。つまり、第二種保留表示１２が複数表示された時点で大当たりが確定する法則が設定されたものである。一方、本実施形態では、第一種保留表示１１に含まれる特殊保留表示１００ｓ、すなわち第一特殊保留表示１０１ｓおよび第二特殊保留表示１０２ｓのいずれかと、第二種保留表示１２に含まれる特殊保留表示１００ｓ、すなわち第三特殊保留表示１０３ｓおよび第四特殊保留表示１０４ｓのいずれかが表示された状態は、特殊保留表示１００ｓが複数表示された状態ではあるものの、大当たりが確定するものではない（図４（ｂ）にその例を列挙する）。
【００３４】
このような法則性をもつ遊技性を実現するため、本実施形態では特定保留制御を実行する。図５に示すフローチャートは、新たに当否判定情報が取得された場合（図５；Ｓ１「Ｙｅｓ」）に、当該新たに取得された当否判定情報に対応する保留表示１０の態様を決定するに際しての基本的な流れを示したものである。
【００３５】
１）第二種保留表示１２が表示されていない場合
第二種保留表示１２が表示されていない場合（図５；Ｓ２「Ｙｅｓ」）には、新たに取得された当否判定情報に対応する保留表示１０の態様が第二種保留表示１２（第三特殊保留表示１０３ｓまたは第四特殊保留表示１０４ｓ）となっても、複数の第二種保留表示１２が表示された状態とはならない。したがって、新たな保留表示１０の態様は、新たに取得された当否判定情報に対応する当否判定結果が大当たりとなるものであるかどうかに基づき、全ての種類の保留表示１０から選択される（図５；Ｓ３）。大当たり確定保留表示が設定されている場合には、当該大当たり確定保留表示も選択肢として設定される。つまり、一般的な保留表示の態様決定手法と同様である。
【００３６】
２）第二種保留表示１２が表示されており、当該第二種保留表示１２に対応する当否判定結果が大当たりとなるものである場合
第二種保留表示１２（第三特殊保留表示１０３ｓまたは第四特殊保留表示１０４ｓ）が既に表示されている（図５；Ｓ２「Ｎｏ」）ものの、当該第二種保留表示１２が大当たりとなる当否判定情報に対応するものである場合（図５；Ｓ４「Ｙｅｓ」）には、新たに取得された当否判定情報に対応する保留表示１０の態様が第二種保留表示１２（第三特殊保留表示１０３ｓまたは第四特殊保留表示１０４ｓ）となっても問題はない。具体的には、新たに取得された当否判定情報がはずれとなるものであり、当該当否判定情報に対応する保留表示１０を第二種保留表示１２としても、既に（先に）表示されている第二種保留表示１２が大当たりとなる当否判定情報に対応するものであるから、上記法則に反する状況とはならない。新たに取得された当否判定情報が大当たりとなるものであり、当該当否判定情報に対応する保留表示１０を第二種保留表示１２とする場合には、複数の第二種保留表示１２のそれぞれに対応する当否判定結果が大当たりとなるだけであるから、上記法則に反する状況とはならない。
【００３７】
したがって、大当たりとなる当否判定情報に対応する第二種保留表示１２が既に表示されているときに、新たに当否判定情報が取得された場合、当該新たな当否判定情報に対応する保留表示１０の種類は、全ての種類の保留表示１０のうちから選択して決定する（図５；Ｓ５）。つまり、新たな当否判定情報に対応する保留表示１０の種類は、当然第一種保留表示１１（通常保留表示１００ｎ、第一特殊保留表示１０１ｓまたは第二特殊保留表示１０２ｓ）であってもよいし、第二種保留表示１２であってもよい。なお、大当たり確定保留表示が設定されている場合には、当該大当たり確定保留表示も選択肢として設定される。
【００３８】
３）第二種保留表示１２が表示されており、当該第二種保留表示１２に対応する当否判定結果がはずれとなるものである場合
はずれとなる当否判定情報に対応する第二種保留表示１２（第三特殊保留表示１０３ｓまたは第四特殊保留表示１０４ｓ）が既に表示されている場合（図５；Ｓ４「Ｎｏ」）に、新たに取得された当否判定情報に対応する保留表示１０の態様が第二種保留表示１２（第三特殊保留表示１０３ｓまたは第四特殊保留表示１０４ｓ）となってしまうと、上記法則を満たさない状況が発生してしまうおそれがある。具体的には、新たに取得された当否判定情報がはずれとなるものである場合には、既に（先に）表示されている第二種保留表示１２がはずれとなる当否判定情報に対応するものであるから、はずれとなる当否判定情報に対応する第二種保留表示１２が複数表示された状態となり、上記法則に反してしまう。
【００３９】
したがって、はずれとなる当否判定情報に対応する第二種保留表示１２が既に表示されているときに、新たに当否判定情報が取得された場合、当該新たな当否判定情報に対応する保留表示１０の種類は第一種保留表示１１（通常保留表示１００ｎ、第一特殊保留表示１０１ｓまたは第二特殊保留表示１０２ｓ）に含まれる保留表示１０から選択して決定する（図５；Ｓ６）。つまり、新たな当否判定情報に対応する保留表示１０の種類は、どのような当否判定情報が取得されようとも（例えば、大当たりに期待がもてるスーパーリーチ演出が実行される当否判定情報が取得されようとも）、当該当否判定情報に対応する保留表示１０は第一種保留表示１１となる。これにより、はずれとなる当否判定情報に対応する複数の第二種保留表示１２が表示されている状況の発生を防止することが可能である。なお、大当たり確定保留表示が設定されている場合には、当該大当たり確定保留表示も選択肢として設定される。
【００４０】
以上説明したように、本実施形態にかかる遊技機１によれば、第二種保留表示１２が複数表示される場合、必ず一つの第二種保留表示１２に対応する当否判定結果が当たりとなるという、従来にない保留表示を用いた演出（従来にない法則性をもつ遊技性）を実行することが可能である。具体的には、従来であれば保留表示のそれぞれに対応する大当たり信頼度は独立したものであり、比較的高い信頼度をもつ保留表示が複数表示されてもその全部がはずれとなってしまうおそれ（それにより遊技者が興醒めしてしまうおそれ）があったところ、本実施形態では比較的高い信頼度をもつ保留表示の組み合わせで大当たりを示唆するという、従来にない遊技性を実現することが可能である。
【００４１】
また、本実施形態における特定保留制御は、当否判定結果が所定回数連続してはずれとなるまで継続する高確率遊技状態２２中（いわゆるＳＴ中）において実行される。かかる遊技状態中は、所定回数連続してはずれとなるまでにとにかく大当たりに当選することが遊技者の目標になる。そのため、比較的高い大当たり信頼度をもつ保留表示が複数表示された場合、当該保留表示の全てとまではいかなくても、いずれか一つの保留表示は大当たりとなって高確率遊技状態２２が継続することを願う。上述したように、従来であれば保留表示のそれぞれに対応する大当たり信頼度は独立したものであって、比較的高い信頼度をもつ保留表示の全てがはずれとなってしまうおそれがあったところ、本実施形態では比較的高い信頼度をもつ保留表示（第二種保留表示１２）が複数表示された場合には、そのいずれかに対応するものが大当たりとなって、高確率状態が継続することが確定するため、遊技者にとっては非常にありがたい法則であるということができる。
【００４２】
また、本実施形態では、第一種保留表示１１には、通常保留表示１００ｎだけでなく、特殊保留表示１００ｓも含まれる（本実施形態では、第一特殊保留表示１０１ｓおよび第二特殊保留表示１０２ｓが第一種保留表示１１に含まれる）。このように、第一種保留表示１１に特殊保留表示１００ｓが含まれるようにすることで、表示される保留表示の全てに対応する当否判定結果がはずれとなる場合であっても、複数の特殊保留表示１００ｓが一度に表示される状態が発生する可能性があることになる。例えば、本実施形態では、表示される保留表示の全てに対応する当否判定結果がはずれとなる場合に、第三特殊保留表示１０３ｓおよび第四特殊保留表示１０４ｓが複数表示されることはないが、第一特殊保留表示１０１ｓおよび第二特殊保留表示１０２ｓのいずれかと、第三特殊保留表示１０３ｓおよび第四特殊保留表示１０４ｓのいずれかが表示される状態は発生する可能性があることになる。別の見方をすれば、第一種保留表示１１に含まれる保留表示が通常保留表示１００ｎだけであると仮定すると、当否判定結果が大当たりとなることが確定する場合でなければ複数の特殊保留表示１００ｓが一度に表示される状態とはならないことになる。したがって、本実施形態では、通常保留表示１００ｎだけでなく、特殊保留表示１００ｓが第一種保留表示１１に含まれるようにすることで、複数の特殊保留表示１００ｓが一度に表示される頻度が著しく低下してしまうのを抑制している。より具体的に言えば、大当たり発生時以外のときであっても複数の特殊保留表示１００ｓが一度に表示されるようにすること（複数の特殊保留表示１００ｓが表示される場合に大当たり確定となる単純な構成としないこと）で、奥深い遊技性を実現したものである。
【００４３】
以上、本発明の実施の形態について詳細に説明したが、本発明は上記実施の形態に何ら限定されるものではなく、本発明の要旨を逸脱しない範囲で種々の改変が可能である。
【００４４】
上記実施形態では、各保留表示１０は表示領域９１１の下側縁に沿って（右下に）表示されることを説明したが、当該表示箇所は例示にすぎない。また、上記実施形態では、各保留表示１０は各種演出等が実行されるメインの表示装置９１に表示されるものであることを説明したが、メインの表示装置９１以外の表示装置に表示されるものについても同様の技術思想が適用可能である。保留表示１０が表示される表示装置が、保留表示１０を表示するためだけに設けられた表示装置であってもよい。
【００４５】
上記実施形態では、当否判定結果の報知が開始されていない（当否判定結果を報知するための図柄の変動が開始されていない）当否判定情報のそれぞれに対応するマークとして保留表示１０が表示されることを説明したが、当否判定結果の報知が開始されているものの、当否判定結果の報知が完了していないものに対応するマークとして保留表示（いわゆる当該変動を示す保留表示）が表示されるようにしてもよい。つまり、当否判定結果の報知が完了していない当否判定情報全てに対応するマークとして保留表示が表示される構成についても、同様の技術思想が適用可能である。つまり、当該変動を示す保留表示についても、第一種保留表示１１と第二種保留表示１２に区分けし、当該変動を示す保留表示と、当否判定結果の報知が開始されていないものに対応する保留表示を併せた全ての保留表示について、第二種保留表示１２が複数表示された状態となったときには、いずれかの第二種保留表示１２に対応する当否判定結果が大当たりとなるように設定する。なお、当該変動を示す保留表示は、当否判定結果の報知が開始されていないものに対応する保留表示と基本的な態様が同じであってもよいし、異なっていてもよい。
【００４６】
上記実施形態では、高確率遊技状態２２中（いわゆるＳＴ中）において特定保留制御が実行されることを説明したが、特定保留制御が実行される条件はどのようなものであってもよい。常に特定保留制御が実行される構成としてもよい。また、例えば、遊技者が特定保留制御を実行するか否かを任意に決定することができる構成（カスタマイズできる構成）としてもよい。
【００４７】
上記実施形態における特定保留制御は、第二種保留表示１２が複数表示されている場合に、当該複数の第二種保留表示１２の少なくとも一つに対応する当否判定結果が大当たりとなるように構成されたものであることを説明したが、第二種保留表示１２として設定された同種の保留表示が複数表示されている場合に、当該保留表示の少なくとも一つに対応する当否判定結果が大当たりとなるように構成されていてもよい。例えば、上記実施形態と同様に、第二種保留表示１２として第三特殊保留表示１０３ｓと第四特殊保留表示１０４ｓが設定されているとする。この場合、第三特殊保留表示１０３ｓが複数表示されている場合、または第四特殊保留表示１０４ｓが複数表示されている場合（図６（ａ）に示したような場合）に限り、当該保留表示の少なくとも一つに対応する当否判定結果が大当たりとなるように設定する。つまり、一の第三特殊保留表示１０３ｓと一の第四特殊保留表示１０４ｓが表示されている場合（図６（ｂ）に示したような場合）は、第二種保留表示１２に含まれる「同種の保留表示」が複数表示されたケースには該当しないとして、一の第三特殊保留表示１０３ｓと一の第四特殊保留表示１０４ｓのいずれかに対応する当否判定結果が大当たりとなることが確定しないように設定する。このような構成とすれば、いわゆる信頼度の高い「同種の保留表示」が複数表示されているか否かが重要となるため、遊技性をさらに奥深いものとすることが可能である。
【００４８】
保留表示の態様が途中で変化するような演出（以下、保留変化演出と称する）が公知である。一般的には、保留表示の態様が変化する場合、より大当たり信頼度の高いものに変化する。このような保留変化演出が発生する可能性がある構成において、上記実施形態と同様の法則性を有するものとしてもよい。つまり、図７に示すように、いずれかの保留表示の態様が途中で変化した結果、第二種保留表示１２が複数表示された状態となったときであっても、いずれかの第二種保留表示１２に対応する当否判定結果が大当たりとなる設定としてもよい。ただし、これとは逆に、表示された当初から第二種保留表示１２である保留表示が複数表示された場合に限り、いずれかの第二種保留表示１２に対応する当否判定結果が大当たりとなる設定とすることを否定するものではない。
【符号の説明】
【００４９】
１  遊技機
１０  保留表示
１１  第一種保留表示
１２  第二種保留表示
１００ｎ  通常保留表示
１００ｓ  特殊保留表示
１０１ｓ  第一特殊保留表示
１０２ｓ  第二特殊保留表示
１０３ｓ  第三特殊保留表示
１０４ｓ  第四特殊保留表示
２１  通常遊技状態
２２  高確率遊技状態
９１  表示装置
９１１  表示領域
【図１】
2018161222.tif 000003
【図２】
2018161222.tif 000004
【図３】
2018161222.tif 000005
【図４】
2018161222.tif 000006
【図５】
2018161222.tif 000007
【図６】
2018161222.tif 000008
【図７】
2018161222.tif 000009